(57)【要約】【課題】母親等に抱っこ又はおんぶされている子供の頭部、胴体及び手足を覆って十分に日除けすることができ、皮膚が保護されて日焼けが防止され、皮膚ガンの発生が予防される日除けカバーを提供する。【解決手段】日除けカバー１１はポリプロピレン繊維のメッシュ材製であり、略矩形状をなすカバー本体２と、該カバー本体２の一長辺の中央部に設けられたフード３と、前記長辺の両端部を連結する紐７と、紐７の長さを調節する調節部８とを備える。カバー本体２の長辺にはゴム紐４が内設されており、カバー本体２は前記長辺がゴム紐４により絞られ、略台形状をなすように変形している。フード３の縁部３ａには、針金製の可撓枠が内設されている。【選択図】図３
2011094245.tif 000002
【特許請求の範囲】
【請求項１】
抱っこ又はおんぶされた子供を覆う日除けカバーであって、
略矩形状をなすカバー本体と、
該カバー本体の一長辺の略中央部に設けられたフードと、
前記長辺の両端部に連設された紐と
を備えることを特徴とする日除けカバー。
【請求項２】
前記フードは、縁部に略半楕円形状の可撓枠を内設してあることを特徴とする請求項１に記載の日除けカバー。
【請求項３】
前記長辺に、長手方向へ伸縮自在にゴム紐が内設されていることを特徴とする請求項１又は２に記載の日除けカバー。
【請求項４】
前記紐は、前記両端部を連結しており、
前記紐の長さを調節する調節部を備えることを特徴とする請求項１乃至３のいずれかに記載の日除けカバー。
【請求項５】
メッシュ材からなることを特徴とする請求項１乃至４のいずれかに記載の日除けカバー。
【発明の詳細な説明】
【技術分野】
【０００１】
本発明は、母親等に抱っこ又はおんぶされた子供を覆う日除けカバーに関する。
【背景技術】
【０００２】
子供は皮膚が弱く、紫外線を浴びた場合、将来的に皮膚ガンに罹患する可能性もあり、また体温が高く、熱がこもりやすいので、極力日光を避ける必要がある。
そして、子供が抱っこ紐を用いて母親等に抱っこ又はおんぶされている場合、例え子供に帽子を被せたとしても手足は剥き出しであるので日焼けしやすく、安全上の観点から母親等が日傘を差すことも好ましくない。
【０００３】
特許文献１には、１枚の布製のスリングをたすき掛けにして乳幼児を抱っこするスリング式子守帯について、布製のスリング本体と、スリング本体に包まれた乳幼児の頭部の上方領域を覆うようにスリング本体に取付けられ、窓及びカバーを有する幌とを備えた構成が開示されている。
【先行技術文献】
【特許文献】
【０００４】
【特許文献１】特開２００７−１９５９３７号公報
【発明の概要】
【発明が解決しようとする課題】
【０００５】
しかしながら、特許文献１のスリング式子守帯は乳幼児を横抱きにするものであり、小さい乳児しか適用することができず、また、幌をアーチ形状に展開することで乳児の頭部を覆うことはできるが、手足は剥き出しであり、仰向けに寝かせているので手足がより日焼けしやすいという問題があった。
【０００６】
本発明は斯かる事情に鑑みてなされたものであり、母親等に抱っこ又はおんぶされている子供の頭部、胴体及び手足を覆って十分に日除けすることができ、皮膚が保護されて日焼けが防止され、皮膚ガンの発生が予防される日除けカバーを提供することを目的とする。
【課題を解決するための手段】
【０００７】
第１発明に係る日除けカバーは、抱っこ又はおんぶされた子供を覆う日除けカバーであって、略矩形状をなすカバー本体と、該カバー本体の一長辺の略中央部に設けられたフードと、前記長辺の両端部に連設された紐とを備えることを特徴とする。
【０００８】
本発明においては、抱っこ紐等を用いて母親等に抱っこ又はおんぶされている子供の頭部をフードで覆い、カバー本体で胴体及び手足を覆い、子供の全身を包んだ状態で、日除けカバーが母親等の体に結びつけられる。従って、十分に日除けを行うことができる。
【０００９】
第２発明に係る日除けカバーは、第１発明において、前記フードは、縁部に略半楕円形状の可撓枠を内設してあることを特徴とする。
【００１０】
本発明においては、フードを片手で立てて固定することができ、子供の頭部を確実に覆うことができる。また、子供の顔にフードが当たらないので、子供が嫌がることもない。
【００１１】
第３発明に係る日除けカバーは、第１又は第２発明において、前記長辺に、長手方向へ伸縮自在にゴム紐が内設されていることを特徴とする。
【００１２】
本発明においては、カバー本体の上側の長辺を絞った状態で、日除けカバーが母親等の体に結びつけられる。従って、より十分に日光が遮られる。また、子供がおもちゃを一方の手に携帯している場合等において、前記一方の手の側が他方の手の側より広くなるように長辺の絞り方を調整し、窮屈にならないようにすることができる。
【００１３】
第４発明に係る日除けカバーは、第１乃至第３発明のいずれかにおいて、前記紐は、前記両端部を連結しており、前記紐の長さを調節する調節部を備えることを特徴とする。
【００１４】
本発明においては、一人で容易に日除けカバーを着用することができる。そして、調節部により紐の長さを調節して、カバー本体の子供に対する引き締め具合を調整することができる。
【００１５】
第５発明に係る日除けカバーは、第１乃至第４発明のいずれかにおいて、メッシュ材からなることを特徴とする。
【００１６】
本発明においては、通気性が良好であり、熱が籠もることが防止され、また、軽量にすることができる。また、容易に折り畳むことができる。
【発明の効果】
【００１７】
本発明によれば、母親等に抱っこ又はおんぶされている子供の頭部、胴体及び手足を覆って十分に日除けすることができる。従って、皮膚が保護されて日焼けが防止され、皮膚ガンの発生が予防される。
【００１８】
また、本発明によれば、フードが縁部に略半楕円形状の可撓枠を内設してあるので、フードを片手で立てて固定することができ、子供の頭部を確実に覆うことができる。また、子供の顔にフードが当たらないので、子供が嫌がることもない。
【００１９】
そして、本発明によれば、上側の長辺にゴムが内設されているので、該長辺を絞った状態で、日除けカバーが母親等の体に結びつけられる。従って、より十分に日光が遮られる。
【００２０】
さらに、本発明によれば、紐は、カバー本体の長辺の両端部を連結するように構成され、紐の長さを調節する調節部を備えるので、一人で容易に日除けカバーを着用することができ、調節部により紐の長さを調節し、カバー本体の子供に対する引き締め具合を調整して、日光がカバー本体内に差し込むのがより抑制される。
【００２１】
そして、本発明によれば、メッシュ材からなるので、通気性が良好であり、熱が籠もることが防止され、また、軽量にすることができる。
【図面の簡単な説明】
【００２２】
【図１】本発明の実施の形態１に係る日除けカバーを示す平面図である。
【図２】抱っこ紐を用いて母親に抱っこされている子供を本発明の実施の形態１に係る日除けカバーで覆った状態を示す斜視図である。
【図３】本発明の実施の形態２に係る日除けカバーを示す平面図である。
【図４】抱っこ紐を用いて母親に抱っこされている子供を本発明の実施の形態２に係る日除けカバーで覆った状態を示す斜視図である。
【図５】抱っこ紐を用いて母親に抱っこされている子供を本発明の実施の形態２に係る日除けカバーで覆った状態を示す一部背面図である。
【発明を実施するための形態】
【００２３】
以下、本発明を、その実施の形態を示す図面に基づいて詳述する。
実施の形態１．
図１は、本発明の実施の形態１に係る日除けカバー１を示す平面図であり、図２は、抱っこ紐を用いて母親に抱っこされている子供を日除けカバー１で覆った状態を示す斜視図である。
【００２４】
日除けカバー１のカバー本体２はポリプロピレン繊維のメッシュ材製であり、黒色であって半透光性を有し、略矩形状をなしている。カバー本体２の上側長辺（一長辺）の端部は、三つ折り縫いで始末してある。カバー本体２の他の三辺はバイアステープで挟み、縁取りしてある。カバー本体２の前記上側長辺の中央部にはフード３が設けられている。前記上側長辺にはゴム紐４が内設されており、カバー本体２は前記上側長辺がゴム紐４により絞られ、略台形状をなすように変形している。
そして、前記上側長辺の両端部には紐６，６が連設されている。
【００２５】
フード３もポリプロピレン繊維のメッシュ材製であり、三つ折り縫いで縁部３ａを形成してあり、縁部３ａには針金製の可撓枠５が内設されている。
【００２６】
以下に、図２を参照して日除けカバー１の取り付け方法について説明する。ここで、子供を抱っこする場合について説明する。
母親は、子供を抱っこ紐９を用いて縦抱きに抱っこし、拡げた状態の日除けカバー１（図１参照）を手に持ち、縁部３ａを手前側に引っ張るようにして子供の頭部にフード３を被せる。そして、子供の側方にカバー本体２を沿わせて、カバー本体２の上側長辺の絞り方をゴム紐４により調節し、紐６，６を母親の後ろ側に回して結び、日除けカバー１を母親に固定する。
【００２７】
本実施の形態においては、日除けカバー１は上述したように黒色を有し、子供の頭部をフード３で覆い、カバー本体２で胴体及び手足を覆い、子供の全身を包むので、日除けカバー１は紫外線を吸収し、紫外線は子供の肌に届く前に大部分がカットされる。そして、地面からの照り返しによる紫外線も吸収されるので、十分に日除けがなされる。従って、皮膚が保護されて、日焼けが防止され、皮膚ガンが予防される。黒色の場合、赤外線も吸収されるが、日除けカバー１はメッシュ材からなるので、通気性が良好であり、子供は暑くならない。また、半透光性をするので、カバー本体２の内側は視認され、子供の中の様子が窺える。
【００２８】
そして、フード３の縁部３ａを片手で掴んで立てることで、子供の頭部を確実に覆うことができ、子供の顔にフード３が当たらないので、子供が嫌がることもない。
また、本実施の形態においては、カバー本体２の上側長辺を絞った状態で、日除けカバー１が母親の体に結びつけられるので、日光が上側から差し込むのが抑制されている。また、子供がおもちゃを一方の手に携帯している場合等において、前記一方の手の側が他方の手の側より広くなるように長辺の絞り方を調整し、窮屈にならないようにすることもできる。
さらに、本実施の形態においては、日除けカバー１がメッシュ材からなるので、上述したように通気性が良好であるとともに、熱が籠もることが防止され、また、軽量にすることができる。
フード３をカバー本体２側に折り返し、カバー本体２を複数回折ることで、日除けカバー１はコンパクトに畳まれ得る。
【００２９】
なお、本実施の形態においては、日除けカバー１が黒色を有する場合につき説明しているがこれに限定されるものではなく、例えば白色を有していてもよい。日除けカバー１が白色を有する場合、紫外線を反射させることにより紫外線がカットされる。日除けカバー１が黒色を有する方が紫外線のカット効果は大きいが、白色を有する場合、赤外線も反射させることができる。
また、日除けカバー１がメッシュ材からなる場合につき説明しているがこれに限定されるものではない。但し、メッシュ材から構成する方が、通気性が良好であるので好ましい。
さらに、日除けカバー１はポリプロピレン繊維製である場合に限定されず、綿製等であってもよい。
また、日除けカバー１は、半透光性を有する場合に限定されず、略完全に遮光する不透光性を有するものであってもよい。
【００３０】
そして、カバー本体２の上側長辺にゴム紐４が内設されている場合には限定されない。但し、ゴム紐４が内設されている方が上側長辺を絞ることができるので好ましい。また、上側長辺に内設する紐と、該上側長辺に連設される紐とを一体化させることにしてもよい。
さらに、本実施の形態においては、母親に抱っこされた子供を覆う場合につき説明しているがこれに限定されるものではなく、本発明の日除けカバーは母親等が子供をおんぶしている場合にも用いることができる。
【００３１】
実施の形態２．
本発明の実施の形態２に係る日除けカバー１１は、実施の形態１に係る日除けカバー１がカバー本体２の上側長辺の両端部に紐６，６を備えるのに対し、前記両端部を連結する、１本の紐７を備える点が異なる。
【００３２】
図３は本発明の実施の形態２に係る日除けカバー１１を示す平面図、図４は抱っこ紐を用いて母親に抱っこされている子供を日除けカバー１１で覆った状態を示す斜視図、図５は抱っこ紐を用いて母親に抱っこされている子供を日除けカバー１１で覆った状態を示す一部背面図である。図中、図１及び図２と同一部分は同一符号を付して詳細な説明を省略する。
【００３３】
図３に示すように、日除けカバー１１においては、上述したようにカバー本体２の上側長辺の両端部を橋絡するように紐７が取り付けられているので、カバー本体２は長手方向の両端部が折り返されている。
紐７は中央部で折り曲げられた状態で調節部８に挿通されている。
調節部８は、中央部で折り返した紐７を挿通する紐挿通孔を有する本体と、紐７を挿通する紐挿通孔を有し、一端部がばねを介し本体の内部に取り付けられ、他端部が本体から突出した留め部とを備えている。この留め部の他端部を押圧した場合に２つの紐挿通孔が重なり、調節部８が紐７の長手方向に摺動され、前記他端部の押圧を解除した場合に、留め部の紐挿通孔の前記一端部側の外縁に設けられた凸部と本体の紐挿通孔の内縁との間に紐７が挟持されるように構成されている。
【００３４】
以下に、図４及び図５を参照して日除けカバー１１の取り付け方法について説明する。ここで、子供を抱っこする場合について説明する。
母親は、子供を抱っこ紐９を用いて縦抱きに抱っこし、紐７を首に掛けた状態で、縁部３ａを手前側に引っ張るようにして子供の頭部にフード３を被せる。そして、子供の側方にカバー本体２を沿わせて、カバー本体２の上側長辺の絞り方をゴム紐４により調節し、調節部８により紐７の長さを調節してカバー本体２の子供に対する引き締め具合を調整し、日除けカバー１１を母親に固定する。
【００３５】
本実施の形態においては、日除けカバー１１は黒色を有し、子供の頭部をフード３で覆い、カバー本体２で胴体及び手足を覆い、子供の全身を包むので、日除けカバー１１は紫外線を吸収し、紫外線は子供の肌に届く前に大部分がカットされる。そして、地面からの照り返しによる紫外線も吸収されるので、十分に日除けがなされる。従って、皮膚が保護されて、日焼けが防止され、皮膚ガンが予防される。黒色の場合、赤外線も吸収されるが、日除けカバー１１はメッシュ材からなるので、通気性が良好であり、子供は暑くならない。また、半透光性をするので、カバー本体２の内側は視認され、子供の中の様子が窺える。
【００３６】
そして、本実施の形態においては、一人で容易に日除けカバー１１を着用することができる。また、調節部８により紐７の長さを調節して、カバー本体２の子供に対する引き締め具合を調整するので、日光がカバー本体２内に差し込むのがより抑制されている。
【符号の説明】
【００３７】
１、１１  日除けカバー
２  カバー本体
３  フード
３ａ  縁部
４  ゴム紐
５  可撓枠
６、７  紐
８  調節部
９  抱っこ紐
【図１】
2011094245.tif 000003
【図２】
2011094245.tif 000004
【図３】
2011094245.tif 000005
【図４】
2011094245.tif 000006
【図５】
2011094245.tif 000007